(57)【要約】  本発明はモバイル端末のロック解除方法及び装置を開示し、モバイル端末の技術分野に関する。該方法は、モバイル端末がロック状態にある間に、物体がモバイル端末の画面に接近して所定の距離範囲内に保持される時間長を確定するステップと、前記時間長に応じたロック解除信号を生成するステップと、前記ロック解除信号を用いて前記モバイル端末のロック解除を行うステップと、を含む。本発明は、距離センサを用いてモバイル端末の暗号化及びロック解除を実現し、実用的であるだけでなく、秘匿性が高い。
2016528843.tif 000002
【特許請求の範囲】
【請求項１】
モバイル端末がロック状態にある間に、物体がモバイル端末の画面に接近して所定の距離範囲内に保持される時間長を確定するステップと、
前記時間長に応じたロック解除信号を生成するステップと、
前記ロック解除信号を用いて前記モバイル端末のロック解除を行うステップと、を含むモバイル端末のロック解除方法。
【請求項２】
物体がモバイル端末の画面に接近して所定の距離範囲内に保持される時間長を確定するステップの前に、モバイル端末が、物体とモバイル端末の画面との間の距離を検出するように距離センサを起動させることがさらに含まれる請求項１に記載の方法。
【請求項３】
物体がモバイル端末の画面に接近して所定の距離範囲内に保持される時間長を確定するステップは、
モバイル端末が前記距離センサを用いて、物体とモバイル端末の画面との間の距離をリアルタイムで検出し、前記距離が所定の距離範囲内に保たれているか否かを確定することと、
前記距離が所定の距離範囲内に保たれる時間を計り、時間長を得ることと、を含む請求項２に記載の方法。
【請求項４】
前記時間長に応じたロック解除信号を生成するステップは、
前記時間長と予め設定された時間長とを比較することと、
前記時間長が前記予め設定された時間長を超えた場合、前記時間長が前記予め設定された時間長を超えたことを示すためのロック解除信号を生成し、超えていない場合、前記時間長が前記予め設定された時間長以下であることを示すためのロック解除信号を生成することと、を含む請求項１に記載の方法。
【請求項５】
前記ロック解除信号を用いて前記モバイル端末のロック解除を行うステップは、
前記ロック解除信号と前に生成されたロック解除信号とを組み合わせてロック解除信号シーケンスを形成することと、
前記ロック解除信号シーケンスと予め設定された信号シーケンスとを比較することと、
前記ロック解除信号シーケンスが予め設定された信号シーケンスにマッチングする場合、前記モバイル端末のロック解除を行い、マッチングしない場合、ロック状態を保持することと、を含む請求項１に記載の方法。
【請求項６】
モバイル端末がロック状態にある間に、物体がモバイル端末の画面に接近して所定の距離範囲内に保持される時間長を確定する時間確定ユニットと、
前記時間長に応じたロック解除信号を生成する信号生成ユニットと、
前記ロック解除信号を用いて前記モバイル端末のロック解除を行うロック解除ユニットと、を備えるモバイル端末のロック解除装置。
【請求項７】
前記時間確定ユニットは、
物体がモバイル端末の画面に接近して所定の距離範囲内に保持される時間長を確定する前に起動され、物体とモバイル端末の画面との間の距離をリアルタイムで検出するための距離センサを含む請求項６に記載の装置。
【請求項８】
前記時間確定ユニットは、
物体とモバイル端末の画面との間の距離が所定の距離範囲内に保たれる時間を計り、時間長を得る計時サブユニットをさらに含む請求項７に記載の装置。
【請求項９】
前記信号生成ユニットは、
前記時間長と予め設定された時間長とを比較する信号比較サブユニットと、
前記時間長が前記予め設定された時間長を超えた場合、前記時間長が前記予め設定された時間長を超えたことを示すためのロック解除信号を生成し、超えていない場合、前記時間長が前記予め設定された時間長以下であることを示すためのロック解除信号を生成する信号生成サブユニットと、を含む請求項６に記載の装置。
【請求項１０】
前記ロック解除ユニットは、
前記ロック解除信号と前に生成されたロック解除信号とを組み合わせてロック解除信号シーケンスを形成する信号組合せサブユニットと、
前記ロック解除信号シーケンスと予め設定された信号シーケンスとを比較するシーケンス比較サブユニットと、
前記ロック解除信号シーケンスが予め設定された信号シーケンスにマッチングする場合、前記モバイル端末のロック解除を行い、マッチングしない場合、ロック状態を保持するロック解除サブユニットと、を含む請求項６に記載の装置。
【発明の詳細な説明】
【技術分野】
【０００１】
本発明はモバイル端末の技術分野に関し、特に、モバイル端末のロック解除処理方法及び関連する装置に関するものである。
【背景技術】
【０００２】
現在、大画面タッチパネル付き携帯電話がますます普及しており、これらのモバイル端末は、ユーザによる携帯電話の非使用中の誤操作を回避するために、通常、様々な画面ロック／画面ロック解除技術を利用し、ロックされた場合、ユーザがタッチパネルを操作できなくなる。
【０００３】
ロック解除方法が様々であり、例えば、キーによるロック解除、スライドに基づくロック解除、パターンによるロック解除等がよくあるが、これらのロック解除ソリューションは、ほとんどユーザの物理キー若しくはタッチパネルへの操作を必要とし、物理キー若しくはタッチパネルが摩耗しやすい。
【０００４】
現在、モバイル端末によく見られるセンサである距離センサは、一般、携帯電話の表面に設けられ、物体とモバイル端末との間の距離を検出することにより、物体がモバイル端末に近く接近しているか否かを判定することができ、ユーザが電話を掛け、又は電話に出るとき、携帯電話を顔に近づけると、距離センサが画面を自動的にオフするようにモバイル端末に知らせることにより、顔の皮膚のタッチパネルへの接触による誤動作を回避するといった場面がよくある。
【発明の概要】
【発明が解決しようとする課題】
【０００５】
本発明の実施例は、距離センサを用いてモバイル端末のロック解除を行うという課題をより良く解決できるモバイル端末のロック解除方法及び装置を提供することを目的としている。
【課題を解決するための手段】
【０００６】
本発明の一実施例によると、
モバイル端末がロック状態にある間に、物体がモバイル端末の画面に接近して所定の距離範囲内に保持される時間長を確定するステップと、
前記時間長に応じたロック解除信号を生成するステップと、
前記ロック解除信号を用いて前記モバイル端末のロック解除を行うステップと、を含むモバイル端末のロック解除方法が提供される。
【０００７】
物体がモバイル端末の画面に接近して所定の距離範囲内に保持される時間長を確定するステップの前に、モバイル端末が、物体とモバイル端末の画面との間の距離を検出するように距離センサを起動させることがさらに含まれることが好ましい。
【０００８】
物体がモバイル端末の画面に接近して所定の距離範囲内に保持される時間長を確定するステップは、
モバイル端末が前記距離センサを用いて、物体とモバイル端末の画面との間の距離をリアルタイムで検出し、前記距離が所定の距離範囲内に保たれているか否かを確定することと、
前記距離が所定の距離範囲内に保たれる時間を計り、時間長を得ることと、を含むことが好ましい。
【０００９】
前記時間長に応じたロック解除信号を生成するステップは、
前記時間長と予め設定された時間長とを比較することと、
前記時間長が前記予め設定された時間長を超えた場合、前記時間長が前記予め設定された時間長を超えたことを示すためのロック解除信号を生成し、超えていない場合、前記時間長が前記予め設定された時間長以下であることを示すためのロック解除信号を生成することと、を含むことが好ましい。
【００１０】
前記ロック解除信号を用いて前記モバイル端末のロック解除を行うステップは、
前記ロック解除信号と前に生成されたロック解除信号とを組み合わせてロック解除信号シーケンスを形成することと、
前記ロック解除信号シーケンスと予め設定された信号シーケンスとを比較することと、
前記ロック解除信号シーケンスが予め設定された信号シーケンスにマッチングする場合、前記モバイル端末のロック解除を行い、マッチングしない場合、ロック状態を保持することと、を含むことが好ましい。
【００１１】
本発明の他の一実施例によると、
モバイル端末がロック状態にある間に、物体がモバイル端末の画面に接近して所定の距離範囲内に保持される時間長を確定する時間確定ユニットと、
前記時間長に応じたロック解除信号を生成する信号生成ユニットと、
前記ロック解除信号を用いて前記モバイル端末のロック解除を行うロック解除ユニットと、を備えるモバイル端末のロック解除装置が提供される。
【００１２】
前記時間確定ユニットは、
物体がモバイル端末の画面に接近して所定の距離範囲内に保持される時間長を確定する前に起動され、物体とモバイル端末の画面との間の距離をリアルタイムで検出するための距離センサを含むことが好ましい。
【００１３】
前記時間確定ユニットは、
物体とモバイル端末の画面との間の距離が所定の距離範囲内に保たれる時間を計り、時間長を得る計時サブユニットをさらに含むことが好ましい。
【００１４】
前記信号生成ユニットは、
前記時間長と予め設定された時間長とを比較する信号比較サブユニットと、
前記時間長が前記予め設定された時間長を超えた場合、前記時間長が前記予め設定された時間長を超えたことを示すためのロック解除信号を生成し、超えていない場合、前記時間長が前記予め設定された時間長以下であることを示すためのロック解除信号を生成する信号生成サブユニットとを含むことが好ましい。
【００１５】
前記ロック解除ユニットは、
前記ロック解除信号と前に生成されたロック解除信号とを組み合わせてロック解除信号シーケンスを形成する信号組合せサブユニットと、
前記ロック解除信号シーケンスと予め設定された信号シーケンスとを比較するシーケンス比較サブユニットと、
前記ロック解除信号シーケンスが予め設定された信号シーケンスにマッチングする場合、前記モバイル端末のロック解除を行い、マッチングしない場合、ロック状態を保持するロック解除サブユニットと、を含むことが好ましい。
【発明の効果】
【００１６】
従来技術に比べ、本発明の有益な効果は以下のようである。
【００１７】
本発明の実施例では、距離センサを用いてモバイル端末の暗号化及びロック解除を実現し、実用的で、秘匿性が高いとともに、モバイル端末における物理キー若しくはタッチパネルの摩耗率を低減する。
【図面の簡単な説明】
【００１８】
【図１】本発明の実施例に係るモバイル端末のロック解除方法の原理ブロック図である。
【図２】本発明の実施例に係るロック解除装置を示す模式図である。
【図３】本発明の実施例に係るロック解除処理プログラムのフローチャートである。
【発明を実施するための形態】
【００１９】
以下、図面を結合して本発明の好適な実施例を詳しく説明する。以下で説明する好適な実施例は本発明を説明し解釈するためのものに過ぎず、本発明を限定するものではないことは、理解されることである。
【００２０】
図１は、本発明の実施例に係るモバイル端末のロック解除方法の原理ブロック図であり、図１に示すように、以下のステップを含む。
【００２１】
モバイル端末がロック状態にある間に、物体がモバイル端末の画面に接近して所定の距離範囲内に保持される時間長を確定する（ステップ１０１）。
【００２２】
物体がモバイル端末の画面に接近して所定の距離範囲内に保持される時間長を確定するステップの前に、モバイル端末が、物体とモバイル端末の画面との間の距離を検出するための距離センサを起動させることがさらに含まれる。
【００２３】
ステップ１０１は、モバイル端末が距離センサを用いて、物体とモバイル端末の画面との間の距離をリアルタイムで検出し、距離が所定の距離範囲内に保たれているか否かを確定することと、距離が所定の距離範囲内に保たれる時間を計り、時間長を得ることとを含む。
【００２４】
時間長に応じたロック解除信号を生成する（ステップ１０２）。
【００２５】
ステップ１０２は、時間長と予め設定された時間長とを比較することと、時間長が予め設定された時間長を超えた場合、時間長が予め設定された時間長を超えたことを示すためのロック解除信号を生成し、超えていない場合、時間長が予め設定された時間長以下であることを示すためのロック解除信号を生成することと、を含む。
【００２６】
ロック解除信号を用いてモバイル端末のロック解除を行う（ステップ１０３）。
【００２７】
ステップ１０３は、ロック解除信号と前に生成されたロック解除信号とを組み合わせてロック解除信号シーケンスを形成することと、ロック解除信号シーケンスと予め設定された信号シーケンスとを比較することと、ロック解除信号シーケンスが予め設定された信号シーケンスにマッチングする場合、モバイル端末のロック解除を行い、マッチングしない場合、ロック状態を保持することと、を含む。
【００２８】
図２は、本発明の実施例に係るロック解除装置を示す模式図であり、図２に示すように、主としてモバイル端末の距離センサ、モバイル端末の処理プログラム、モバイル端末の画面に係わっている。距離センサは、物体の近距離接近を検出することができ、ユーザが手又は他の物体を距離センサにかざすと、距離センサはモバイル端末の処理プログラムへ情報を報告し、ユーザが手又は他の物体を引っ込めると、距離センサは同様にモバイル端末の処理プログラムに知らせ、また、ユーザが手を距離センサにかざし続けて引っ込めないと、距離センサは報告情報を継続して発生させることにより、距離センサが遮られる時間長を計る。本発明において、ユーザが距離センサを遮る時間の長さでモールス符号に類似した信号を模し、例えば、ユーザが距離センサを遮った後すぐに手を引っ込めることで「トン」という短信号を表し、また、ユーザが距離センサを長時間にわたって遮ってから手を引っ込めることで「ツー」という長信号を表すように、携帯電話のユーザによる距離センサへの反復遮り及び遮り時間の長さで予め設定された信号暗号の入力を実現することにより、ロック解除機能を実現する。つまり、距離センサが遮られる時間長が予め設定された時間長を超えると、長信号と記し、符号「−」で表すことができ、また、予め設定された時間長以下であると、短信号と記し、符号「-」で表すことができる。ユーザが携帯電話でロック解除信号シーケンスを予め設定しておくことができ、例えば「--−-」を設定し、この組合せはモールス符号でアルファベットの「Ｆ」を表す。
【００２９】
ロック解除機能を実現するために、本発明では、具体的に、時間確定ユニットと、信号生成ユニットと、ロック解除ユニットと、を備えるモバイル端末のロック解除装置が提供される。
【００３０】
時間確定ユニットは、モバイル端末がロック状態にある間に、物体がモバイル端末の画面に接近して所定の距離範囲内に保持される時間長を確定することに用いられる。時間確定ユニットは、時間長を確定する前に起動され、物体とモバイル端末の画面との間の距離をリアルタイムで検出する距離センサと、物体とモバイル端末の画面との間の距離が所定の距離範囲内に保たれる時間を計り、時間長を得る計時サブユニットと、を含む。
【００３１】
信号生成ユニットは、時間長に応じたロック解除信号を生成する。信号生成ユニットは、時間長と予め設定された時間長とを比較する信号比較サブユニットと、時間長が予め設定された時間長を超えた場合、時間長が予め設定された時間長を超えることを示すためのロック解除信号を生成し、そうでない場合、時間長が予め設定された時間長以下であることを示すためのロック解除信号を生成する信号生成サブユニットと、を含む。
【００３２】
ロック解除ユニットは、ロック解除信号を用いてモバイル端末のロック解除を行う。ロック解除ユニットは、ロック解除信号と前に生成されたロック解除信号とを組み合わせてロック解除信号シーケンスを形成する信号組合せサブユニットと、ロック解除信号シーケンスと予め設定された信号シーケンスとを比較するシーケンス比較サブユニットと、ロック解除信号シーケンスが予め設定された信号シーケンスにマッチングする場合、モバイル端末のロック解除を行い、そうでない場合、ロック状態を保持するロック解除サブユニットと、を含む。
【００３３】
本発明が提案した距離センサによるモバイル端末のロック解除方法は、モバイル端末における画面のロック解除に限らず、同様な原理により、例えば、電話帳、ショットメッセージ等、ユーザのプライバシー情報に係わるソフトウエアモジュールの暗号化保護に用いられてもよい。図３は、モバイル端末における画面のロック解除を例として本発明をさらに説明する。
【００３４】
図３は、本発明の実施例に係るロック解除処理プログラムのフローチャートであり、図３に示すように、以下のステップを含む。
【００３５】
第１ステップ：モバイル端末がロック状態にある。
【００３６】
第２ステップ：ユーザが電源ボタンを押すことで、又は他の手段によってモバイル端末の処理プログラムをトリガーし、表示画面を点灯させる。
【００３７】
第３ステップ：モバイル端末が距離センサを作業状態になるように起動させ、物体の接近を検出させる。
【００３８】
第４ステップ：ユーザが指又は他の物体を距離センサにかざすと、センサがモバイル端末の処理プログラムに知らせ、モバイル端末の処理プログラムが計時を開始し、ユーザが指又は他の物体を引っ込めると、距離センサがモバイル端末の処理プログラムに知らせ、モバイル端末の処理プログラムが計時を停止する。
【００３９】
第５ステップ：ユーザが距離センサを遮って続ける時間長を記録する。
【００４０】
第６ステップ：時間長を予め設定された時間長（即ち、固定時間長Ｄ）と比較し、Ｄを超えていれば、第７ステップを実行し、そうでなければ、第８ステップを実行する。
【００４１】
第７ステップ：時間長がＤを超えていれば、モバイル端末の処理プログラムは、ユーザが長信号「−」を入力したと認識し、即ち、時間長がＤを超えたことを示すためのロック解除信号を生成する。
【００４２】
第８ステップ：時間長がＤ以下であれば、モバイル端末の処理プログラムは、ユーザが短信号「‐」を入力したと認識し、即ち、時間長がＤ以下であることを示すためのロック解除信号を生成する。
【００４３】
第９ステップ：ロック解除信号と前に生成されたロック解除信号とを組み合わせてロック解除信号シーケンスを形成し、つまり、生成されたロック解除信号をロック解除信号シーケンスに追加して長信号「−」と短信号「‐」とからなる新しいロック解除信号シーケンスを形成する。
【００４４】
さらに、ユーザが距離センサを繰り返して遮ったり遮りを解除したりする動作によって、モバイル端末の処理プログラムは、ユーザによる操作ごとの信号のタイプを識別することで、長短信号によるロック解除信号シーケンスを形成する。
【００４５】
第１０ステップ：ロック解除信号シーケンスを予め設定された信号シーケンスと比較し、ロック解除信号シーケンスが予め設定された信号シーケンスにマッチングする場合、第１１ステップを実行し、そうでなければ、第１ステップを実行する。
【００４６】
第１１ステップ：モバイル端末における画面のロック解除を行い、そうでなければ、ロック状態を保持する。
【００４７】
ユーザが毎回の入力を確認できるように、モバイル端末は、ユーザの操作によるロック解除信号を認識するたびに、モバイル端末の表示画面に信号のタイプを画像で表示させる。例えば、ユーザが長信号を入力する場合、モバイル端末のソフトウエアは、ストライプ状の図形を画面に表示させ、ユーザが短信号を入力する場合、モバイル端末のソフトウエアは、ドット状の図形を画面に表示させる。
【００４８】
ユーザによる誤入力を処理するために、ユーザがクリックすると前回の入力をキャンセルすることができる図形ボタンをタッチパネルに設けてもよい。
【００４９】
ユーザが入力したロック解除信号シーケンスが予め設定された信号シーケンスにマッチングしない場合、モバイル端末は誤入力をユーザに知らせ、また、不正ユーザによる信号シーケンスの解読を防止するために、ユーザがロック解除信号シーケンスを何度も継続して誤入力した場合、モバイル端末はロック解除機能を停止し、一定の時間を待たせてからユーザのロック解除操作を許可するようにする。
【００５０】
さらに、距離センサが起動された後、信号入力を設定された時間長内で検出していない、即ち、物体とモバイル端末の画面との間の距離を検出していない場合
、モバイル端末は、ロック解除機能をオフにしてロック解除状態を終了し、ユーザが再びロック解除状態をトリガーすることを待つ。
【００５１】
さらに、距離センサが遮られる時間長が所定の時間を超えても遮りが解除されていなければ、モバイル端末は、画面のロック解除がオーバータイムになると確定し、ロック解除状態を終了し、ユーザが再びロック解除をトリガーすることを待つ。
【００５２】
好適な実施例である本実施例において、モバイル端末が画面を点灯させた後、ユーザは、正しく入力したか否かを画面でチェックすることができるため、入力の正確率を高める。
【００５３】
もう一つの実施例として、モバイル端末の距離センサがずっと作業状態にあるものであり、モバイル端末がロック状態で、且つ画面が消灯される（即ち、ブラックスクリーン）間に、上述した第３ステップ乃至第１１ステップを繰り返すことで画面のロック解除を行うことができ、即ち図３に示す第２ステップを省略する。
【００５４】
上述したように、本発明は以下の技術効果を達成する；
１．本発明はモバイル端末の暗号化及びロック解除を実現し、実用的で、秘匿性が高い；
２．本発明は、モバイル端末における物理キー若しくはタッチパネルの摩耗を減少することができる。
【００５５】
以上、本発明を詳しく説明したが、本発明はこれには限定されず、当業者であれば本発明の原理に基づく様々な修正が可能である。ゆえに、本発明の原理に従う如何なる修正も本発明の保護範囲内に含まれるべきであることは、理解されることである。
【産業上の利用可能性】
【００５６】
本発明による上記技術は、モバイル端末のロック解除過程に適用されることができ、モバイル端末がロック状態にある間に、物体がモバイル端末の画面に接近して所定の距離範囲内に保持される時間長を確定し、また、前記時間長に応じたロック解除信号を生成し、さらに、前記ロック解除信号を用いて前記モバイル端末のロック解除を行うことによって、関連技術においてモバイル端末の物理キー若しくはタッチパネルがひどく摩耗しているという課題を解決し、モバイル端末のロック解除の秘匿性及び実用性を向上させる。
【図１】
2016528843.tif 000003
【図２】
2016528843.tif 000004
【図３】
2016528843.tif 000005
【国際調査報告】
2016528843.tif 000006
2016528843.tif 000007
2016528843.tif 000008
2016528843.tif 000009